(57)【要約】【課題】耐熱性の高い端子台が不要であり、ある器具本体が故障した場合でも、他の器具本体への給電を継続できる非常用照明器具及び非常用照明システムを提供する。【解決手段】非常用照明器具Ａは、接続部２及び器具本体１を備える。接続部２は、導線７１及び導線７１を覆う絶縁被覆７２を有する給電用の被覆電線７の絶縁被覆７２に食い込むことにより導線７１に電気的に接続される。そして、器具本体１は、接続部２経由で供給された電力で点灯するＬＥＤ１１を有することを特徴とする。【選択図】図１
2013004310.tif 000002
【特許請求の範囲】
【請求項１】
導線及び前記導線を覆う絶縁被覆を有する給電用の被覆電線の前記絶縁被覆に食い込むことにより前記導線に電気的に接続される接続部と、前記接続部経由で供給された電力で点灯する光源を有する器具本体とを備えたことを特徴とする非常用照明器具。
【請求項２】
前記接続部から前記光源への給電路に過電流保護部が設けられたことを特徴とする請求項１記載の非常用照明器具。
【請求項３】
請求項１又は２の何れか記載の非常用照明器具と、前記非常用照明器具が接続される前記被覆電線に電力を供給する電源部とを備え、
前記電源部は、常用電源によって充電され、前記常用電源の停電時に放電して前記非常用照明器具に給電する蓄電池を備えることを特徴とする非常用照明システム。
【請求項４】
前記電源部に、前記常用電源から電力が供給される状態と、前記常用電源からの電力供給を遮断する状態とを切り替えるための点検スイッチが設けられたことを特徴とする請求項３記載の非常用照明システム。
【発明の詳細な説明】
【技術分野】
【０００１】
本発明は、非常用照明器具及び非常用照明システムに関するものである。
【背景技術】
【０００２】
従来、廊下などの避難誘導経路に沿って複数配置され、それぞれ停電時に非常用電源から電力を供給されて避難方向を照明する誘導灯装置があった（特許文献１参照）。
【先行技術文献】
【特許文献】
【０００３】
【特許文献１】特開平６−１６８６０６号公報
【発明の概要】
【発明が解決しようとする課題】
【０００４】
上述のような誘導灯装置を避難誘導経路に沿って複数台設置する場合、一般に誘導灯装置の間を送り配線することで各誘導灯装置へ電力が供給されている。この誘導灯装置において、火災による高温環境から電力を分配する経路を保護するため、給電用の被覆電線には耐火ケーブルが用いられる。また、誘導灯装置では給電用の被覆電線が接続される端子台に耐熱性の高い物を使用する必要がある。また、送り配線をしているために、火災における高温環境により器具本体内で短絡が発生した場合、短絡した器具本体の機能が失われるだけでなく、他の全ての器具本体の機能が失われる。
【０００５】
本発明は、上記事由に鑑みてなされたものであり、その目的は、耐熱性の高い端子台が不要であり、ある器具本体が故障した場合でも、他の器具本体への給電を継続できる非常用照明器具及び非常用照明システムを提供することにある。
【課題を解決するための手段】
【０００６】
上記課題を解決するために本発明の非常用照明器具は、接続部及び器具本体を備える。前記接続部は、導線及び前記導線を覆う絶縁被覆を有する給電用の被覆電線の前記絶縁被覆に食い込むことにより前記導線に電気的に接続される。そして、前記器具本体は、前記接続部経由で供給された電力で点灯する光源を有することを特徴とする。
【０００７】
この非常用照明器具において、前記接続部から前記光源への給電路に過電流保護部が設けられたことが好ましい。
【０００８】
また本発明の非常用照明システムは、前記非常用照明器具と、前記非常用照明器具が接続される前記被覆電線に電力を供給する電源部とを備える。そして、前記電源部は、常用電源によって充電され、前記常用電源の停電時に放電して前記非常用照明器具に給電する蓄電池を備えることを特徴とする。
【０００９】
この非常用照明システムにおいて、前記電源部は、前記常用電源から電力が供給される状態と、前記常用電源からの電力供給を遮断する状態とを切り替えるための点検スイッチが設けられたことが好ましい。
【発明の効果】
【００１０】
本発明では、耐熱性の高い端子台が不要であり、ある器具本体が故障した場合でも、他の器具本体への給電を継続可能な非常用照明器具及び非常用照明システムを提供することができる。
【図面の簡単な説明】
【００１１】
【図１】本実施形態の非常用照明器具が給電用の被覆電線に取り付けられる状態の図である。
【図２】（ａ）は同上の接続部の図であり、（ｂ）は同上の接続部を導線に接続している図である。
【図３】同上における非常用照明システムの図である。
【発明を実施するための形態】
【００１２】
以下では非常用照明器具及び非常用照明システムの実施形態について図１〜図３に基づいて説明する。
【００１３】
非常用照明器具Ａは、図１に示すように、器具本体１と、器具本体１から導出されるケーブル１２、１２にそれぞれ電気的に接続される接続部２、２とを備える。
【００１４】
器具本体１は、天井に設けられた孔に上部を埋め込んだ状態で天井に取り付けられ、器具本体１の下面は室内側に露出する。器具本体１の下面には、光源として複数のＬＥＤ１１が配設されている。器具本体１の内部には、複数のＬＥＤ１１を点灯させる点灯回路（図示せず）が収納されている。器具本体１の上面からは、上記の点灯回路に電力を供給するためのケーブル１２、１２が導出されており、各ケーブル１２の先端には接続部２が接続されている。尚、光源としてＬＥＤ１１の代わりに蛍光灯のような電子管を用いてもよい。尚、図３では器具本体１の外部に過電流保護部３が設けられているが、器具本体１の内部に過電流保護部３が設けられてもよい。
【００１５】
非常用照明器具Ａに供給される電力が直流電力の場合は、接続部２、２の一方を正極に、他方を負極に接続して器具本体１に電力が供給される。また、非常用照明器具Ａは、図３に示すように、上記の点灯回路と接続部２とを結ぶ電路に、器具本体１へ過電流が流れるのを防ぐ過電流保護部３（ヒューズなどからなる）を備えてもよい。
【００１６】
各接続部２は、図２（ａ）（ｂ）に示すように、回転自在に連結された２つの接続板２１ａ、２１ｂと、対向した接点部２４、２４間に被覆電線７が挟まれた状態を保持するラッチ部２５とを備えている。
【００１７】
接続板２１ａ、２１ｂは、ともに導電性の金属板を型抜きした矩形板であり、それぞれ長手方向の一端側に近い部位を貫通する丸孔２２、２２と、接点部２４、２４とを備え、丸孔２２、２２に挿入された連結ピン２３により回転自在に連結される。接点部２４、２４は、図２（ａ）に示すように、互いに対向する部位に設けられ、接続板２１ａ、２１ｂを楔型に型抜きされてできたＶ字形の刃２４ａ、２４ａを備えている。尚、Ｖ字形の刃２４ａの開口端の幅は、被覆電線７の絶縁被覆７２の外径よりも長い寸法に設定されている。また、図２（ｂ）に示すように、接続板２１ａ、２１ｂが閉じた状態で、両接続板２１ａ、２１ｂの刃２４ａ、２４ａによって形成される孔の最小幅は、絶縁被覆７２の内径よりも僅かに小さい寸法に設定されている。これにより、刃２４ａが絶縁被覆７２を切りながら、被覆電線７の導線７１をできるだけ傷つけずに、導線７１に刃２４ａを電気的に接続することができる。接続板２１ａ、２１ｂのいずれか一方には、ケーブル１２が半田付け或いはかしめ固定などの方法で接続されている。
【００１８】
ラッチ部２５は、それぞれバネ性を有する金属板で形成された受け金具２６と引掛金具２７とを備え、受け金具２６及び引掛金具２７はそれぞれ接続板２１ａ、２１ｂの長手方向他端側に固定されている。
【００１９】
受け金具２６は、接続板２１ａの長手方向に沿って延び、その先端部には接続板２１ｂ側に突出する略Ｕ字形の曲り部が設けられている。
【００２０】
引掛金具２７は、略J形に形成されており、図２（ｂ）に示すように、接続板２１ａがケーブル接続位置まで回転した際に、受け金具２６に対して図中上側から係止する爪２７ａが設けられている。
【００２１】
尚、ラッチ部２５は上記の形態に限定されるものではなく、ケーブル接続状態を保持できればどの形態であってもよい。
【００２２】
接続部２は上記のような構造をしており、接続部２に給電用の被覆電線７を接続する際の動作について説明する。まず、作業者が、図２（ａ）に示すように、接続板２１ａ、２１ｂを開いた状態で、接点部２４の溝内に被覆電線７を置く。次に図２（ｂ）に示すように、作業者によって接続板２１ａ、２１ｂが互いに近づく方向へ回転させられると、それぞれの刃２４ａ、２４ａが被覆電線７の絶縁被覆７２を切り裂いて導線７１と電気的に接続する。この回転により受け金具２６の曲り部が引掛金具２７の爪２７ａに当接すると、爪２７ａが弾性変形し、受け金具２６が爪２７ａを乗り越えて、爪２７ａが受け金具２６に引っ掛かることで、接続板２１ａ、２１ｂの間に導線７１が挟まれた状態が保持される。このラッチ部２５による接続板２１ａ、２１ｂの回転の制限及び前記制限の解除は、受け金具２６と引掛金具２７の弾性を利用することで容易に行うことができる。尚、図２（ｂ）の状態から、接続板２１ａ、２１ｂが互いに近づく方向へさらに回転することによって導線７１が切断されないように、接続板２１ｂが接続板２１ａと接している面に、接続板２１ａの端部に当接して接続板２１ａの回転を規制する回転止め２８が設けられることが好ましい。
【００２３】
このように被覆電線７、７に接続部２、２が接続されると、接続部２及びケーブル１２を介して点灯制御回路４２への給電路が確保される。尚、接続部２では、接点部２４、２４を除く部位は短絡防止のために絶縁処理を施すことが好ましい。
【００２４】
次に、上述した非常用照明器具Ａを備える非常用照明システムＢについて説明する。
【００２５】
非常用照明システムＢは、図１と図３に示すように、複数の非常用照明器具Ａと、電源ケーブル６と、電源ケーブル６を介して非常用照明器具Ａに電力を供給する電源部４とを備える。
【００２６】
電源ケーブル６は、図１に示すように、２芯の被覆電線７、７と、被覆電線７、７を束ねて覆う絶縁材質のシース６１とを備える。電源ケーブル６は、例えば建物内の避難経路に沿って設置された非常用照明器具Ａに電力を供給できるように天井裏や壁裏などに配線されている。被覆電線７に接続部２を接続する際は、図１に示すように、シース６１が部分的に除かれることによって、被覆電線７が露出し、この露出部位に接続部２が接続される。
【００２７】
電源部４は、非常用照明器具Ａに電源ケーブル６を介して電力を送る点灯制御回路４２と、停電時の電源となる蓄電池４１と、点灯制御回路４２と常用電源８との間に設けられた点検スイッチ４３とを備える。
【００２８】
蓄電池４１には、例えばリチウムイオン電池やニッケル水素電池が用いられ、点灯制御回路４２によって充放電が制御される。
【００２９】
点灯制御回路４２は、常用電源８からの電力が点灯制御回路４２に供給されている時に、蓄電池４１を充電する。また、点灯制御回路４２は、火災などの非常時に常用電源８からの電力の供給が停止された時に、蓄電池４１を放電させて非常用照明器具Ａに点灯電力を供給する。
【００３０】
点検スイッチ４３は、常用電源８から点灯制御回路４２へ接続されている電路に設けられ、作業者の操作に応じて前記電路を開閉することができ、前記電路を開放することで常用電源８から点灯制御回路４２への給電を遮断して、点灯状態を疑似的に発生させることができる。
【００３１】
上述のように、非常用照明器具Ａは、接続部２と器具本体１を備える。接続部２は、導線７１及び導線７１を覆う絶縁被覆７２を有する被覆電線７の絶縁被覆７２に食い込み、導線７１と電気的に接続される。器具本体１は、接続部２経由で供給された電力で点灯する光源（本実施形態ではＬＥＤ１１）を備える。
【００３２】
これにより、耐熱性の高い端子台が不要であり、ある器具本体１が故障した場合でも、他の器具本体１への給電を継続できるとともに、電源ケーブル６の任意の場所へ器具本体１を容易に接続することができる。
【００３３】
また、非常用照明器具Ａは、接続部２から光源への給電路に過電流保護部３が設けられてもよい。
【００３４】
これにより、火災などの高温環境の影響によって、ある非常用照明器具Ａに過電流が流れたとしても、過電流保護部３によって、当該非常用照明器具Ａの内部回路を保護できる。
【００３５】
非常用照明システムＢは、非常用照明器具Ａと、非常用照明器具Ａが接続される電源ケーブル６に電力を供給する電源部４とを備える。電源部４は、常用電源８によって充電され、常用電源８の停電時に放電して非常用照明器具Ａに給電する蓄電池４１を備える。
【００３６】
これにより、停電によって常用電源８から電源部４への給電が途絶えても、蓄電池４１から非常用照明器具Ａに電力が供給されるため、非常用照明器具Ａは機能喪失を回避できる。
【００３７】
非常用照明システムＢは、常用電源８から電力が供給される状態と、常用電源８からの電力供給が遮断された状態とを切り替えるための点検スイッチ４３とが電源部４に設けられる。
【００３８】
これにより作業者が点検スイッチ４３を開放することで、非常用照明器具Ａが正常に点灯するか、蓄電池４１が外部からの電力供給なしに非常用照明器具Ａを必要な時間の間点灯できるかを点検することができる。
【符号の説明】
【００３９】
１  器具本体
１１  ＬＥＤ（光源）
１２  ケーブル
２  接続部
２１ａ、２１ｂ  接続板
２２  丸孔
２３  連結ピン
２４  接点部
２４ａ  刃
２５  ラッチ部
２６  受け金具
２７  引掛金具
２７ａ 爪
２８  回転止め
３  過電流保護部
４  電源部
４１  蓄電池
４２  点灯制御回路
４３  点検スイッチ
６  電源ケーブル
６１  シース
７  被覆電線
７１  導線
７２  絶縁被覆
８  常用電源
【図１】
2013004310.tif 000003
【図２】
2013004310.tif 000004
【図３】
2013004310.tif 000005